(57)【特許請求の範囲】
【請求項１】
モノシリックキャリア本体（１）と、連結要素（８）を備えるリレー（２）であって、
前記モノシリックキャリア本体（１）は、
ベース本体（９）と、
前記ベース本体（９）と一体であり、かつ前記ベース本体（９）から突出しているコイルキャリア（３）と、
前記ベース本体（９）と一体であり、かつ前記ベース本体（９）から突出しているコンタクト要素取付台（５）と、
前記ベース本体（９）と一体であり、前記コイルキャリア（３）と前記コンタクト要素取付台（５）の間に配置され、かつ前記ベース本体（９）から突出している絶縁壁（１４）と、を備え、
前記連結要素（８）は、前記絶縁壁（１４）上に摺動可能に載置され、
前記連結要素（８）は、前記連結要素（８）から延長し、前記コイルキャリア（３）に保持されるコイル（４）と前記コンタクト要素取付台（５）に保持されるコンタクト要素（１１、１２）の間の間隙内に突入するシールド（８１）を有する、
リレー（２）。
【請求項２】
前記コンタクト要素取付台（５）はタワー状またはチャネル状である、
請求項１に記載のリレー（２）。
【請求項３】
前記コンタクト要素取付台（５）は、前記コイルキャリア（３）の高さ（３０）の半分を超えて延びている、
請求項１または２に記載のリレー（２）。
【請求項４】
前記コンタクト要素取付台（５）はＵ字形断面を有する、
請求項１〜３のいずれか一項に記載のリレー（２）。
【請求項５】
前記Ｕ字形断面の脚部は、前記コンタクト要素取付台（５）により保持されたコンタクトばねの周りに達している、
請求項４に記載のリレー（２）。
【請求項６】
前記絶縁壁（１４）は長手方向Ｌに沿って延びる壁セクション（１４Ａ）を有する、
請求項１〜５のいずれか一項に記載のリレー（２）。
【請求項７】
コンタクトばねの取付部材（１５）が前記ベース本体（９）から離間している、
請求項１〜６のいずれか一項に記載のリレー（２）。
【請求項８】
第２のコンタクトばね（１２０）が前記コンタクト要素取付台（５）または前記絶縁壁（１４）に取り付けられている、
請求項１〜７のいずれか一項に記載のリレー（２）。
【発明の詳細な説明】
【技術分野】
【０００１】
本発明は、リレー用のモノリシックキャリア本体に関する。
【背景技術】
【０００２】
リレーは、多くの場合、リレーの部品が取り付けられるキャリア本体を含む。このようなキャリア本体は、これらの要素が取り付けられるベース本体を含むことができる。しかしながら、絶縁を向上させるために、追加の絶縁要素が必要であることが多い。
【発明の概要】
【発明が解決しようとする課題】
【０００３】
本発明の目的は、最小限の部品数で十分な絶縁性能を有するリレー用のキャリア本体を提供することである。
【課題を解決するための手段】
【０００４】
本目的は、ベース本体と、ベース本体と一体でありベース本体から突出しているコイルキャリアと、ベース本体と一体でありベース本体から突出しているコンタクト要素取付台とを含む、リレー用のモノリシックキャリア本体によって達成される。
【０００５】
コイルキャリアおよびコンタクト要素取付台がベース本体と一体であることにより、製造が容易になり、部品数が少なくなる。したがって、コイルキャリア、コンタクト要素取付台、およびベース本体を機械的に安定して連結するための追加の要素は不要である。さらに、小型の設計が可能である。さらに、コンタクト要素取付台がベース本体から突出することにより、漏れ電流の予想経路が従来よりも長くなるため、良好な絶縁性能が得られる。
【０００６】
本発明のリレーは、本発明のモノリシックキャリア本体を含む。
【０００７】
本発明の解決策を、以下のさらなる発展および有利な実施形態を用いてさらに改良することができ、これらは任意に組み合わせることができ、それ自体が各々有利である。
【０００８】
ベース本体と一体の絶縁壁は、コイルキャリアとコンタクト要素取付台との間でベース本体から突出することができる。そのような絶縁壁は、漏れ電流の予想経路を長くすることができるため、絶縁性能をさらに高めることができる。
【０００９】
絶縁壁は、コンタクト要素取付台の一部とすることができる。これにより、簡単な小型の設計が可能になる。
【００１０】
コンタクト要素取付台はタワー状とすることができる。そのような設計では、側壁がベース本体からまっすぐに延びる。そのような設計は細く小型であるとともに、良好な絶縁性能および高い機械的安定性をもたらす。
【００１１】
コンタクト要素取付台はチャネル状とすることができる。コンタクト要素を少なくとも３つの側壁内に機械的に安定して保持することができる。少なくとも３つの側壁により、良好な絶縁性能を保証することができる。同時に、小型の設計が可能である。チャネルは特に、３つの側壁のみを有し、一方の側に開いてコンタクト要素の動きを可能にし、かつ／または重量および材料の量を最小限にすることができる。
【００１２】
コンタクト要素取付台およびコイルキャリアは、同じ側でベース本体から突出して、小型の設計を可能にすることができる。
【００１３】
キャリア本体は、２つ以上のコンタクト要素取付台を含むことができる。キャリア本体は、特に２つのコンタクト要素のための２つのコンタクト要素取付台を含むことができる。代替案では、１つのコンタクト要素取付台が、２つ以上のコンタクト要素、たとえば、２つのコンタクト要素を保持するように機能することができる。
【００１４】
コンタクト要素取付台は、コイルキャリアの高さの半分を超えて延びることができる。そのような高さを、特にベース本体に垂直な、ベース本体からの最大距離として測定することができる。そのような高さにより、良好な機械的安定性および十分な絶縁性能が得られる。
【００１５】
コンタクト要素取付台は、コイルキャリアの高さの７／８未満にわたって延びることができる。このようにして、あまり手間をかけることなく、コンタクト要素を取り付けることができる。
【００１６】
キャリア本体はプラスチック部品とすることができる。キャリア本体は、特に射出成形部品とすることができる。そのような部品は、低価格で大量に製造することができる。さらに、プラスチック材料は良好な絶縁性能を保証するとともに、十分な機械的安定性をもたらすことができる。
【００１７】
ベース本体は平面とすることができる。ベース本体は、特にベースプレートまたはベースボードとすることができる。これらの設計を容易に製造することができ、小型にすることができる。
【００１８】
コイルキャリアおよび／またはコンタクト要素取付台は、ベース本体から垂直に突出して、簡単な設計および良好な力分布を可能にする。
【００１９】
コンタクト要素取付台はＵ字形断面を有することができる。断面は、特にベース本体に平行な平面に位置することができる。そのような設計により、コンタクト要素が、良好な絶縁性能を有しつつ、少なくとも一方向に動くことができる。
【００２０】
Ｕ字形断面の脚部は、コンタクト要素取付台により保持されたコンタクトばねの周りに到達することができる。脚部は、コンタクトばねの横方向へ延びることができる。これにより、コンタクトばねを確実に保持することができるとともに、良好な絶縁性能を保証することができる。特に、コンタクトばねを横方向に保持して、コンタクトばねが側部へ、側部の一方へ離れることができないようにする。
【００２１】
絶縁壁は、長手方向に沿って延びる壁セクションを有することができる。長手方向は、コイルキャリアからコンタクト要素取付台へ向かう方向である。長手方向は、ベース本体またはベースプレートの方向に平行とすることができる。この長手方向に沿って延びる壁セクションにより、漏れ電流の予想経路を長くするため、絶縁性能を高めるのを助ける。壁セクションは、たとえば翼状とすることができる。長手方向に沿って延びる壁セクションは、コイルキャリア側を向いていても、コイルキャリアから逸れた側を向いていてもよい。長手方向に沿って延びる壁セクションを、絶縁壁および／またはコンタクト要素取付台のための追加の支持部としても働くことができるように、特にベース本体に直接連結することができ、より高い安定性を達成することができる。
【００２２】
本発明のリレーは本発明のキャリア本体を含む。
【００２３】
リレーは、アーマチュアの動きをコンタクト要素に伝える連結要素をさらに含むことができる。そのような連結要素は、絶縁壁上に摺動可能に載置され得る。これにより、絶縁壁は、連結要素の支承部またはガイドとして作用することができる。したがって、連結要素をより正確に動かすことができる。さらに、追加のガイドまたは支承要素をなくすことにより、設計をより小型にし、製造をより容易にすることができる。
【００２４】
コンタクトばねの取付部材をベース本体から離間させてもよい。これにより、コンタクトばねを短くすることができる。このコンタクトばねは、長いコンタクトばねよりも堅く安価になり得る。
【００２５】
第２のコンタクトばねをコンタクト要素取付台または絶縁壁に取り付けてもよい。このようにして、リレーをより小型にすることができる。
【００２６】
以下で、図面を参照しながら本発明の解決策について例示的に説明する。記載される特徴およびさらなる発展は、それ自体が有利であり、望むように組み合わせることができる。
【図面の簡単な説明】
【００２７】
【図１】リレーのさらなる要素と共に示す、キャリア本体の第１の実施形態の概略斜視図である。
【図２】キャリア本体の第２の実施形態を示す図である。
【発明を実施するための形態】
【００２８】
図１はリレー２のキャリア本体１を示す。リレーは、図１に示さないハウジングまたはカバーなどのさらなる要素を含むことができる。
【００２９】
キャリア本体１は、リレー２のいくつかの部品を支持する。特に、キャリア本体１は、コイル４を保持するためのコイルキャリア３を含む。コイル４の巻線は、コイルキャリア３に巻き付けられる。
【００３０】
コイルキャリア３は、４つの側壁と矩形断面とを有するタワー形状を有する。コイルキャリア３は中心が中空である。コイルキャリア３の中空空間にヨーク６が挿入される。ヨーク６はＵ字形であり、Ｕ字の１つの脚部がコイルキャリア３の中心にあり、１つの脚部が外側にあって第１の脚部と平行である。２つの脚部は、湾曲部６５を介して互いに連結される。ヨーク６は、コイル４内で発生した磁束を外側の第２の脚部に伝えるように機能する。コイルが通電されると、電流がコイル４を通って流れて磁束が発生し、この磁束がヨーク６により伝えられる。リレー２は、負荷回路を切り替えるためのアーマチュア７をさらに含む。コイル４に電流を通すことにより、アーマチュア７を図１に示す開位置から閉位置へ切り替えることができる。その後、アーマチュア７は第２の脚部６２側へ引かれ、アーマチュア７の動きが連結要素８を介して負荷回路の第１のコンタクト要素１１に伝えられる。コイル４が通電されているか否かに応じてアーマチュア７を開位置または閉位置へ動かし、したがって、第１のコンタクト要素１１は、負荷回路の第２のコンタクト要素１２に接触しているか、または第２のコンタクト要素１２から離れている。
【００３１】
キャリア本体１は、第１のコンタクト要素１１および第２のコンタクト要素１２を取り付けて保持するためのコンタクト要素取付台５をさらに含む。コンタクト要素取付台５は、ベース本体９と一体である。ベース本体９は基本的に平面の構成を有する。ベース本体９は、リレーを平坦面、たとえばプリント回路基板などに取り付けるのを助けることができる。ベース本体９は短い基板の形を有する。コイルキャリア３およびコンタクト要素取付台５は、ベース本体９から略垂直に突出する。これにより、コイル４とコンタクト要素１１、１２とを大きい距離にわたって保持することができる。したがって、コイル４およびコンタクト要素１１、１２の機械的安定性を向上させるために、さらなる要素をキャリア本体１に加える必要はない。
【００３２】
コイルキャリア３およびコンタクト要素取付台５はベース本体９と一体（integral）である。コイルキャリア３およびコンタクト要素取付台５は、ベース本体９と一体（one piece）化されている。キャリア本体１全体が１つの部品である。特に、キャリア本体１は、射出成形により製造されたプラスチック本体である。
【００３３】
第１のコンタクト要素取付台５Ａはチャネル状の構成を有する。第１のコンタクト要素取付台５Ａは、上側および下側に開いている。第１のコンタクト要素取付台５Ａは、ベース本体９の平面Ｐに平行なＵ字形断面を有する。第１のコンタクト要素取付台５Ａは、チャネルを構成する３つの側壁１０を含む。中心側壁１０は、第２のコンタクト要素１２と第１のコンタクト要素１１との間に位置することにより、２つを互いに絶縁する。２つのさらなる側壁１０が側面に位置する。これらの２つの側壁１０は、コンタクト要素１１、１２からコイル４へ延びる長手方向Ｌに平行に延びる。これらの２つの側壁１０は、ベース本体９に直接連結されて、良好な力の伝達を可能にすることにより、第２のコンタクト要素１２の良好な支持を可能にする。Ｕ字形断面の脚部であるこれら２つの外側壁１０は、第２のコンタクト要素１２の周りに達する。第２のコンタクト要素１２は、ある一定の可撓性を有し、コンタクトばね１２０として作用する。したがって、外壁セクション１０はコンタクトばね１２０の横方向に延びる。
【００３４】
第２のコンタクト要素取付台５Ｂは、第１のコンタクト要素１１とコイル４との間に位置する。第２のコンタクト要素取付台５Ｂは、特に第１のコンタクト要素１１が開位置、すなわち第２の要素１２に接触しない位置にあるときに、第１のコンタクト要素１１を支持する。第２のコンタクト要素取付台５Ｂは、矩形断面を有するタワー状の構成を有する。
【００３５】
第１のコンタクト要素取付台５Ａと第２のコンタクト要素取付台５Ｂとは、いずれもコイルキャリア３の高さ３０の半分を超えて延び、この高さ３０はベース本体９の平面Ｐに垂直な高さ方向Ｈに測定される。第１のコンタクト要素取付台５Ａは、コイルキャリア３の高さ３０の半分よりもわずかにのみ大きい。第２のコンタクト要素取付台５Ｂはより高く、コイルキャリア３の高さ３０の約７／８にわたって延びる。これにより、良好な機械的安定性が可能になり、加えて負荷回路とコイル４との間の漏れ電流の予想経路が長くなるため、追加の絶縁要素をなくすことができる。
【００３６】
キャリア本体１は、絶縁壁１４をさらに含む。絶縁壁１４もベース本体９と一体であり、容易な製造を可能にする。絶縁壁１４は、コイルキャリア３とコンタクト要素取付台５との間でベース本体９から突出する。絶縁壁１４は、絶縁性能をさらに向上させるのを助ける。特に、コンタクト要素１１、１２とコイル４との間の漏れ電流の予想経路はさらに細長い。さらに、空気を通した接続は、絶縁壁１４によりさらに妨げられる。空気を通した予想される伝達をさらに妨げるために、連結要素８は、上側からコイル４とコンタクト要素１１、１２との間の間隙内へ突出するシールド８１を有する。
【００３７】
絶縁壁１４は、第１のコンタクト要素取付台５Ａと同様に、長手方向Ｌに沿って延びる壁セクション１４Ａを有する。これにより、壁セクション１４Ａがベース本体９に直接連結されるため、漏れ電流の予想経路をより長くし、加えて良好な力分布、およびしたがって絶縁壁１４の良好な支持をもたらすのを助ける。
【００３８】
絶縁壁１４の中心部分は、同時に第２のコンタクト要素取付台５Ｂの壁である。これにより、最小限の製造努力で小型の設計が得られる。しかしながら、第１のコンタクト要素取付台５Ａの側壁１０の外壁セクションとは対照的に、壁セクション１４Ａはコイル側へ延びる。これは、第２のコンタクト要素取付台５Ｂがコイル４側への傾斜に対しても安定しているという利点を有する。壁セクション１４Ａは翼として構成される。
【００３９】
連結要素８が絶縁壁１４上に摺動可能に載置される。したがって、さらなるガイド要素または支承要素は不要である。小型の設計を可能にするために、コンタクトばねを有する取付部材１５がベース本体９から離間している。このコンタクトばねはコンタクト要素取付台５Ｂに取り付けられる。これにより容易な設計が可能になる。
【００４０】
図２において、本発明のキャリア本体１の第２の実施形態が示される。キャリア本体１は、ここでも、コイル４（図２には示さない）の巻線を受けるためのコイルキャリア３を含む。キャリア本体１は、コンタクト要素を支持し、絶縁性能を向上させるためのコンタクト取付台５、５Ａ、５Ｂをさらに含む。コイルキャリア３とコンタクト要素取付台とは、ここでもベース本体９と一体（integral）／一体型（one piece）である。ここでも、第１のコンタクト要素取付台５Ａは、外側に向かって側面が開いたＵ字形断面を有する。第２のコンタクト要素取付台５Ｂは４つの側面すべてに対して閉じ、上側に向かってのみ開いて、コンタクト要素１１の挿入を可能にする。
【００４１】
さらに、ここでも絶縁壁１４がある。絶縁壁１４は、この図で見える正面側に、長手方向Ｌに沿って延びる壁セクション１４Ａを有し、良好な支持および良好な絶縁性能をもたらす。背面側では、絶縁壁１４は第２のコンタクト要素取付台５Ｂから横方向に延び、たとえば背面側が開いて正面側が閉じられているときに良好な絶縁性能をもたらす。
【符号の説明】
【００４２】
１  キャリア本体
２  リレー
３  コイルキャリア
４  コイル
５  コンタクト要素取付台
５Ａ  第１のコンタクト要素取付台
５Ｂ  第２のコンタクト要素取付台
６  ヨーク
７  アーマチュア
８  連結要素
９  ベース本体
１０  側壁
１１  第１のコンタクト要素
１２  第２のコンタクト要素
１４  絶縁壁
１４Ａ  壁セクション
１５  取付部材
３０  高さ
６１  第１の脚部
６２  第２の脚部
６５  湾曲部
８１  シールド
１２０  コンタクトばね
Ｈ  高さ方向
Ｐ  ベース本体の平面
Ｌ  長手方向
【図１】
0006389338.tif 000002
【図２】
0006389338.tif 000003